(57)【要約】【課題】  タッチキーの上面に凸部を設けて、暗闇状態での操作や、目の不自由な方の使用時等に、手探りにより簡単にタッチキーを探し出して操作できるようにする、操作性を向上させた加熱調理器を提供する。【解決手段】  本体１の上面に配設されたトッププレート３と、前記本体１内に設けられ被加熱物を加熱する加熱源６と、前記トッププレート３に配設された複数のタッチキー１５と、該タッチキー１５からの操作信号に基づいて前記加熱源６の通電を制御する制御部１１と、を備えた加熱調理器において、前記タッチキー１５には、前記加熱源の通電を開始したり加熱を停止するための切／入キーが含まれており、前記切／入キー９ａの上面に約０.２mmから０.５mmの凸部又は凹部を設け、前記制御部１１は、加熱を行っていないときに前記切／入キー９ａからの操作信号が所定時間継続されたことを条件に前記加熱源６の通電を開始させる。【選択図】図３
2009109092.tif 000002
【特許請求の範囲】
【請求項１】
本体の上面に配設された電気絶縁性を有するトッププレートと、前記本体内に設けられ被加熱物を加熱する加熱源と、前記トッププレートに配設された複数のタッチキーと、該タッチキーからの操作信号に基づいて前記加熱源の通電を制御する制御部と、を備えた加熱調理器において、前記タッチキーには前記加熱源の通電を開始したり加熱を停止するための切／入キーが含まれており、前記切／入キーの上面に約０.２mmから０.５mmの凸部又は凹部を設け、前記制御部は、加熱を行っていないときに前記切／入キーからの操作信号が所定時間継続されたことを条件に前記加熱源の通電を開始させるように構成されていることを特徴とする加熱調理器。
【発明の詳細な説明】
【技術分野】
【０００１】
本発明は、加熱調理器に関するものである。
【背景技術】
【０００２】
加熱調理器のトッププレートに静電容量式のタッチキーを用いた操作部を設けたものがある。この加熱調理器では操作部に凸凹が無く、耐久性や掃除がし易いといった特徴があるが、操作部を触ってもキーの位置が判らないため、暗闇状態での操作や、目の不自由な方の使用時等において問題があり、そこで、タッチキー毎に操作に応じて異なった音色の音を発するようにして、タッチキーを触ったときの音色を頼りにキーの位置が判り、手探りでもタッチキーの操作ができるようにしたものがある（例えば、特許文献１参照）。
【０００３】
【特許文献１】特開２００７−１００９９５号公報
【発明の開示】
【発明が解決しようとする課題】
【０００４】
しかしながら、上記の従来技術においては、タッチキーを触った時にタッチキー毎に異なった音色の音を発して、この音色の違いによりタッチキーの位置を確認して操作するものであり、最初にタッチキーに触ったときには音を発するだけで入力処理されず、再度同じキーを触った時にそのキーを操作したということを認識して入力処理するようにしている。しかしながら、このようなキー入力処理の構成では使用者は複数のタッチキーと音色との関係を覚える必要があり面倒で操作し難い。また、タッチキーの操作が複雑なため操作性が悪く、操作に時間が掛かったりする等の課題があった。
【０００５】
本発明は、上記課題を解決するもので、静電容量式のタッチキーを用いた加熱調理器の操作性を向上させた加熱調理器を提供することを目的とする。
【課題を解決するための手段】
【０００６】
本発明は上記の問題を解決するためになされたものであり、請求項１は、本体の上面に配設された電気絶縁性を有するトッププレートと、前記本体内に設けられ被加熱物を加熱する加熱源と、前記トッププレートに配設された複数のタッチキーと、該タッチキーからの操作信号に基づいて前記加熱源の通電を制御する制御部と、を備えた加熱調理器において、前記タッチキーには前記加熱源の通電を開始したり加熱を停止するための切／入キーが含まれており、前記切／入キーの上面に約０.２mmから０.５mmの凸部又は凹部を設け、前記制御部は、加熱を行っていないときに前記切／入キーからの操作信号が所定時間継続されたことを条件に前記加熱源の通電を開始させるものである。
【発明の効果】
【０００７】
本発明の加熱調理器は、上記のように構成したことにより、暗闇状態での操作や、目の不自由な方の使用時等において、タッチキーを簡単に探し出して加熱源の通電を操作することが出来るため操作性を向上させることができる。
【発明を実施するための最良の形態】
【０００８】
以下、本発明の一実施例を図１〜図１０を参照して説明する。
【０００９】
図１は、本発明の一実施例を示す加熱調理器本体をシステムキッチンに組み込んだ状態の斜視図である。図１に示すように、加熱調理器の本体１はシステムキッチン２に組み込まれており、本体１の上面には電気絶縁性を有する耐熱性が高い結晶化ガラスで構成されたトッププレート３が配設されている。トッププレート３の周りにはプレート枠４が固着されている。
【００１０】
トッププレート３とプレート枠４の間には、シール材（図示せず）が充填され水密構造となっている。また、プレート枠４は本体１にも固定されており、本体１をシステムキッチン２に取り付ける際は、プレート枠４で本体１を吊り上げて設置される。従ってシステムキッチン２の上表面に出るのはトッププレート３とプレート枠４の部分である。
【００１１】
トッププレート３の下方には、トッププレート３上に載置した鍋等の被加熱物５を加熱する加熱源６である誘導加熱コイル６ａ，６ｂが本体１手前側左右に設けられ、中央奥側にはラジエントヒータ６ｃが設けられている。また、本体１の左側下部には、魚焼きなどを行うグリル部７が設けられている。
【００１２】
トッププレート３の後方左側には排気口１０が設けられており、グリル部７から排出される排気や、本体１内部の誘導加熱コイル６ａ，６ｂや後記する制御部１１等を冷却した廃熱（熱気）を排出している。
【００１３】
また、トッププレート３の後方右側には、本体１内部の制御部１１や誘導加熱コイル６ａ，６ｂ等を冷却する空気を吸気する吸気口１２が設けられている。
【００１４】
トッププレート３の手前側には、誘導加熱コイル６ａ，６ｂと、ラジエントヒータ６ｃの夫々への加熱条件や、加熱の入り切り等を入力する操作部１３ａ，１３ｂ，１３ｃと、夫々の操作部１３ａ，１３ｂ，１３ｃに対応する表示部１４ａ，１４ｂ，１４ｃとが設けられている。また、操作部１３ａ，１３ｂ，１３ｃは複数の静電容量式のタッチキー１５で構成されている。
【００１５】
本体１の前面右側には押しボタンスイッチで構成された本体１の電源を入り切りする電源切／入スイッチ１８が設けられており、電源切／入スイッチ１８を一回押すと電源が入り、もう一回押すと電源が切れるようになっている。
【００１６】
図２は、加熱調理器本体１の要部縦断面図である。図２に示すように、表示部１４は、トッププレート３下方の基板２０に載せられたバックライト付きの液晶表示器８で構成され、操作部１３により入力される本体１を運転するための設定状態（火力，タイマーの設定状態，揚げ物調理時の油温等）や運転状態を、数値および文字，図形表示等によりトッププレート３のガラスを介してトッププレート３の上面側から視認することができる。
【００１７】
制御部１１は、操作部１３から入力されたタッチキー１５の操作情報により、表示部１４の表示内容を制御している。また、加熱源６である加熱コイル６ａ，６ｂやラジエントヒータ６ｃへの通電を制御している。
【００１８】
操作部１３を構成しているタッチキー１５は、トッププレート３下方の基板１６上に形成された矩形状の電極１７で構成され、電極１７に対向するトッププレート３の上面部を使用者が指でタッチすると、このときの静電容量の変化を電極１７を介してＩＣ回路（図示せず）が検知して制御部１１に操作信号を入力している。
【００１９】
また、タッチキー１５の電極１７に対向するトッププレート３の上面部には、タッチキー１５の位置が判り易いように指でタッチする部分にキーの意匠が印刷されている。
【００２０】
図３は、操作部１３の平面図であり、例えば誘導加熱コイル６ｂに対応する操作部１３ｂについての構成を示している。図３に示すように、操作部１３ｂは次のような複数のタッチキー１５で構成されている。すなわち、誘導加熱コイル６ｂの通電を開始したり通電を停止するための切／入キー９ａと、誘導加熱コイル６ｂの加熱出力を調節するためのとろ火キー９ｂ，弱火キー９ｃ，中火キー９ｄ，強火キー９ｅとが横一列にそれ程隙間を開けずに配置されている。なお、操作部１３ａと操作部１３ｃの構成も操作部１３ｂの構成と同様である。
【００２１】
そして、操作部１３ｂの左端に設けられた切／入キー９ａの上面には、ガラスをプレスして設けた図４，図５に示すような直径が略１mmで高さが略０.２mmの凸部１９が１箇所設けてあり、ここを指で触ることにより手探りによる切／入キー９ａの位置の確認が容易にできるようにしている。
【００２２】
なお、切／入キー９ａの上面に設ける凸部１９は、切／入キー９ａの上面中央部に１箇所設けたが、特にこれに限定されることはなく、例えば図７，図８に示すように切／入キー９ａの中央部に凸部１９ａを１箇所設け、さらに切／入キー９ａの外周を囲むように凸部１９ｂを設ける構成にしても良い。また、図９，図１０に示すように切／入キー９ａ部全体を凸部１９ｃ形状としても良い。また、凸形状だけでなく凹形状にするようにしても良い。
【００２３】
また、凸部又は凹部の大きさは、０.２mm以下の大きさでは手探りする時に探し難く、０.５mm以上の大きさでは、タッチキー１５部の掃除の時に凸部に引っかかって掃除し難かったり、凹部形状では凹部の汚れが落ち難かったりするので、実用的には０.２mmから０.５mm程度が望ましい。
【００２４】
また、切／入キー９ａの上面に設ける凸部又は凹部はガラスをプレスして形成する他に、凸部については、同一ガラス成分を含んだペーストで切／入キー９ａ部を印刷し、そのガラス成分を溶かしてトッププレートに溶着させるようにして形成させたり、別ピースを接着剤で接着して形成させるようにしても良い。
【００２５】
図６は、制御部１１のタッチキー１５からの操作信号の処理方法を説明するフローチャートである。
【００２６】
図６に示すように、タッチキー１５の切／入キー９ａからの操作信号の処理方法は他のタッチキー１５からの操作信号の処理方法と異なっている。
【００２７】
すなわち、タッチキー１５の操作信号入力があると、ステップ６０１で加熱源６が通電中であるかを判定し、Ｙｅｓならばステップ６０２で操作されたタッチキー１５からの操作信号を入力処理する任意のキー処理を行う。
【００２８】
ステップ６０１でＮｏならばステップ６０３で切／入キー９ａからの操作信号の入力であるかを判定し、切／入キー９ａの操作入力で無いＮｏならばステップ６０２の任意のキー処理を行う。
【００２９】
ステップ６０３で切／入キー９ａの操作入力であるＹｅｓならばステップ６０４の切／入キー９ａが所定時間（本実施例では３秒間）経過する連続した操作入力であるかを判定する。
【００３０】
ステップ６０４でＮｏならばステップ６０５で切／入キー９ａの操作入力を受付けない。
【００３１】
ステップ６０４で所定時間経過する連続した操作入力であるＹｅｓならばステップ６０６で切／入キー９ａの操作入力を受付けて切／入キー処理を行い誘導加熱コイル６ｂの通電を開始する。
【００３２】
このように、切／入キー９ａの操作は、通電中で無ければ、所定時間（３秒間）継続した操作信号により切／入キー９ａの操作入力を有効と判定して通電を開始するように制御し、所定時間より短い時間の切／入キー９ａの操作信号の入力は有効と判定せず通電を開始しないように制御する。しかし、通電中であれば、所定時間に関係なく切／入キー９ａの操作信号は有効と判定されてキー処理され、通電を停止するように制御する。
【００３３】
次に、このように構成された加熱調理器で、例えば誘導加熱コイル６ｂを使用して行う加熱調理の手順を説明する。
【００３４】
調理の材料を入れた鍋を誘導加熱コイル６ｂに対応したトッププレート３上に載置し、電源切／入スイッチ１８を指で一回押して電源を入れる。
【００３５】
次に、操作部１３ｂのタッチキー１５を操作して加熱条件を入力するが、暗闇状態での操作や、目の不自由な方やお年寄りの方の使用においては、タッチキー１５の位置がキー表面に印刷された意匠では判らないので、使用者は指で操作部１３ｂを触って切／入キー９ａの上面に設けられた凸部１９を探し出し、切／入キー９ａの位置を覚える。但し、切／入キー９ａの凸部１９を探し出す時に切／入キー９ａに触っても所定時間（３秒）以内に指を離せば切／入キー９ａを操作したことにはならない。
【００３６】
次に、覚えた切／入キー９ａの位置を基準にして、右隣に並んでいる加熱出力を調節するためのとろ火キー９ｂや、弱火キー９ｃ，中火キー９ｄ，強火キー９ｅの内から適当なキーを手探りで選び加熱出力を設定する。なお、この場合、タッチキー１５の上面にはキー意匠が印刷されており、この印刷によるタッチキー１５の表面状態の変化を、指で触ってとろ火キー９ｂや、弱火キー９ｃ，中火キー９ｄ，強火キー９ｅの位置を判別することが出来るので、簡単にキー操作して設定することができる。また、とろ火キー９ｂや、弱火キー９ｃ，中火キー９ｄ，強火キー９ｅの加熱出力を設定するキーは最後に操作したキーの加熱出力が設定されるように制御している。
【００３７】
次に、先程覚えた切／入キー９ａの位置に手を戻し、切／入キー９ａの凸部１９を確認して所定時間（３秒）以上触ることにより切／入キー９ａの操作入力が処理され、誘導加熱コイル６ｂが通電され加熱が開始される。
【００３８】
調理が終わったら、操作部１３ｂの切／入キー９ａの凸部１９を探して凸部１９を触ることにより誘導加熱コイル６ｂが通電停止され加熱が終了する。
【００３９】
このように、凸部１９を設けたタッチキー１５の加熱開始前における入力処理を、所定時間継続した入力によりその入力を有効と判定するように制御部１１で制御することにより、暗闇状態での操作や、目の不自由な方やお年寄りの方の使用において、使用者は指で操作部１３ｂを触ってタッチキー１５の上面に設けられた凸部１９を探し、このタッチキー１５を基準とした周辺のタッチキー１５がどのような機能を有するキーであるかを覚えておけば簡単に設定操作が可能となる。
【００４０】
また、加熱を開始させる場合は、凸部１９を設けた切／入キー９ａを所定時間触って操作することにより加熱を確実に開始することができるとともに、不用意に切／入キー９ａに触っても、所定時間触らないと加熱が開始されないので意図しない加熱が開始されることが無く安心して使用できる。
【００４１】
また、加熱を終了させる場合は、切／入キー９ａに凸部１９が設けられているため、素早く探し出して操作することが出来るため、加熱しすぎることが無い等、使い勝手が良く、操作性が向上する。
【００４２】
なお、上記実施例では、図６におけるステップ６０４の所定時間を３秒としたが、任意の時間を設定することができる。但し、所定時間が短すぎると手探りで切／入キー９ａを探し出すために触れた時、意図しない切／入キー９ａが入力されてしまい不都合が発生することがある。また、所定時間が長すぎると、切／入キー９ａを入力するときに時間が掛かりすぎて操作性が悪くなる。したがって、実用的には２秒から４秒程度が望ましい。
【図面の簡単な説明】
【００４３】
【図１】本発明の一実施例を示す加熱調理器本体をシステムキッチンに組み込んだ状態の斜視図である。
【図２】同じく加熱調理器本体の要部縦断面図である。
【図３】操作部の平面図である。
【図４】本発明における切／入キーの構成例の平面図である。
【図５】図４のＡ−Ａ断面図である。
【図６】制御部のタッチキーからの操作信号の処理方法を説明するフローチャートである。
【図７】本発明における切／入キーの他の構成例の平面図である。
【図８】図７のＡ−Ａ断面図である。
【図９】本発明における切／入キーの他の構成例の平面図である。
【図１０】図９のＡ−Ａ断面図である。
【符号の説明】
【００４４】
１  本体
３  トッププレート
６  加熱源
１１  制御部
１５  タッチキー
１９，１９ａ，１９ｂ，１９ｃ  凸部
【図１】
2009109092.tif 000003
【図２】
2009109092.tif 000004
【図３】
2009109092.tif 000005
【図４】
2009109092.tif 000006
【図５】
2009109092.tif 000007
【図６】
2009109092.tif 000008
【図７】
2009109092.tif 000009
【図８】
2009109092.tif 000010
【図９】
2009109092.tif 000011
【図１０】
2009109092.tif 000012